(57)【要約】  本発明は、少なくとも１つの貯蔵エンクロ−ジャ（１）に関連付けることが可能な、温度を調節するモジュ−ル式装置に関する。この装置は、蒸発後に、反応器（９）に収容される反応生成物と組み合わせることが可能な液化ガスを収容するタンク（１３）を備える熱化学システムを備え、上記装置は：−貯蔵エンクロ−ジャ（１）を加熱するために反応器区画（１０）を貯蔵エンクロ−ジャ（１）のみと連通させると同時に、蒸発器区画（１４）を装置の外部と連通させ、−貯蔵エンクロ−ジャ（１）を冷却するために蒸発器区画（１４）を貯蔵エンクロ−ジャ（１）のみと連通させると同時に、反応器区画（１０）を装置の外部と連通させることが可能である、切り換え手段を備えることを特徴とする。【選択図】図２
2017503136.tif 000002
【特許請求の範囲】
【請求項１】
少なくとも１つの貯蔵エンクロ−ジャ（１、１’）に取り付け可能な、温度を特定の設定値（Ｔｃ）に自動的に調節するモジュ−ル式装置であって、可能性としては蒸発器を形成するとともに、発熱熱化学反応に従って、蒸発後に、反応器（９）に収容される反応生成物と組み合わせることが可能な液化ガスを収容するタンク（１３）を備える熱化学システムを収容するハウジング（２２）を備え、得られる前記反応生成物は、逆熱化学反応に従って、加熱によって、前記ガスを放出しながら再生成されることが可能であり、前記熱化学システムの前記反応器（９）及び前記蒸発器（１３）は、前記エンクロ−ジャを加熱する手段及び冷却する手段をそれぞれ構成し、前記ハウジング（２２）に作られる反応器区画（１０）及び蒸発器区画（１４）にそれぞれ配置されること、並びに、該装置は、前記ハウジング（２２）に配置されるとともに：
−前記貯蔵エンクロ−ジャ（１）を加熱するために前記反応器区画（１０）を前記貯蔵エンクロ−ジャ（１）のみと連通させると同時に、前記蒸発器区画（１４）を該装置の外部と連通させ、
−前記貯蔵エンクロ−ジャ（１）を冷却するために前記蒸発器区画（１４）を前記貯蔵エンクロ−ジャ（１）のみと連通させると同時に、前記反応器区画（１０）を該装置の外部と連通させることが可能である、切り換え手段を更に備えることを特徴とする、モジュ−ル式装置。
【請求項２】
前記反応器区画（１０）及び前記蒸発器区画（１４）を前記第１の貯蔵エンクロ−ジャ（１）と同時に連通させることが可能な手段を含むことを特徴とする、請求項１に記載の装置。
【請求項３】
前記反応器区画（１０）の吸気口（１０ａ）及び出口（１０ｂ）並びに前記蒸発器区画（１４）の吸気口（１４ａ）及び出口（１４ｂ）にそれぞれ接続可能である吸気ダクト（５）及び出口ダクト（７）を含むことを特徴とする、請求項１又は２に記載の装置。
【請求項４】
前記吸気ダクト（５）及び前記出口ダクト（７）は、前記第１の貯蔵エンクロ−ジャ（１）の出口（５ａ）及び吸気口（７ａ）にそれぞれ接続可能であることを特徴とする、請求項３に記載の装置。
【請求項５】
前記反応器区画（１０）及び／又は前記蒸発器区画（１４）は、該区画（１０、１４）を通る空気流の循環を活性化可能な手段（１２、１６）を含むことを特徴とする、請求項１〜４のいずれか一項に記載の装置。
【請求項６】
前記切り換え手段は弁からなることを特徴とする、請求項１〜５のいずれか一項に記載の装置。
【請求項７】
前記反応器区画（１０）は、吸気弁（１７ａ）及び出口弁（１７ｂ）を含み、該吸気弁（１７ａ）及び該出口弁（１７ｂ）のそれぞれは、前記反応器区画（１０）が外部と連通する開位置、及び、前記反応器区画（１０）が外部から隔離される閉位置を保持可能であり、前記蒸発器区画（１４）は、吸気弁（１９ａ）及び出口弁（１９ｂ）を含み、該吸気弁（１９ａ）及び該出口弁（１９ｂ）のそれぞれは、前記蒸発器区画（１４）が外部と連通する開位置、及び、前記蒸発器区画（１４）が外部から隔離される閉位置を保持可能であることを特徴とする、請求項１〜６のいずれか一項に記載の装置。
【請求項８】
前記装置は、２つの逆転弁、すなわち、３つの位置、すなわち：
−前記蒸発器区画（１４）の前記吸気口（１４ａ）及び前記出口（１４ｂ）を前記エンクロ−ジャ（１）とそれぞれ連通させる第１の位置、
−前記反応器区画（１０）の前記吸気口（１０ａ）及び前記出口（１０ｂ）を前記エンクロ−ジャ（１）とそれぞれ連通させる第２の位置、
−前記弁が中間位置にあり、前記反応器区画（１０）並びに前記蒸発器区画（１４）の前記吸気口及び前記出口を前記エンクロ−ジャ（１）とそれぞれ連通させる第３の位置
を保持可能である、吸気弁（２１ａ）及び出口弁（２１ｂ）を含むことを特徴とする、請求項７に記載の装置。
【請求項９】
前記反応器区画（１０）は、前記第１のエンクロ−ジャ（１）と連通されるように形成されること、及び同時に、前記蒸発器区画（１４）は、第２のエンクロ−ジャ（１’）と連通されるように形成されることを特徴とする、請求項１〜８のいずれか一項に記載の装置。
【請求項１０】
前記装置は、前記ハウジング（２２）が取り付けられる少なくとも第１のエンクロ−ジャ（１、１’）を備えることを特徴とする、請求項１〜９のいずれか一項に記載の装置。
【請求項１１】
前記ハウジング（２２）は、前記第１の貯蔵エンクロ−ジャ（１）の上側部分に取り付けられることを特徴とする、請求項１０に記載の装置。
【請求項１２】
前記装置は第２の貯蔵エンクロ−ジャを含むこと、前記反応器区画（１０）は、前記第１のエンクロ−ジャ（１）と連通されること、及び同時に、前記蒸発器区画（１４）は、前記第２のエンクロ−ジャ（１’）と連通されることを特徴とする、請求項１０又は１１に記載の装置。
【発明の詳細な説明】
【技術分野】
【０００１】
本発明は、特に熱に敏感な商品を輸送することが意図されるタイプの、等温容器からなるエンクロ−ジャの温度を自動調節する外部モジュ−ル式装置に関する。
【背景技術】
【０００２】
低温流通体系を確実にするために、このタイプのエンクロ−ジャの場合、輸送中に、エンクロ−ジャがその加熱を必要とする低温状態に晒される可能性があるため、冷気を生成可能であることが十分ではないことが知られている。例えば、これは、熱に敏感な製品を収容するエンクロ−ジャに当てはまり、その場合、製品を２℃〜８℃に維持することが必須であり、製品は、輸送中に、特定の時間の間は−１０℃の外部温度に晒され、別の時点では３０℃の温度に晒される、といった具合である。
【０００３】
エンクロ−ジャが大容量容器からなる場合、通常は冷凍ユニットが用いられ、その蒸発器は、エンクロ−ジャに、その冷却に必要なマイナスのカロリ−を供給可能であり、また、高温加圧流体を蒸発器に流すことによって、その加熱に必要なカロリ−を供給可能である。
【０００４】
しかし、そのような装置は、特に重量及びサイズの理由から、大容量エンクロ−ジャにしか用いることができない。その上、このシステムは、電気エネルギ−源に恒久的に接続可能でなければならず、これは当然ながらその輸送の問題を複雑にする。さらに、熱を生成する手段としての蒸発器の使用は、特定のタイプの冷凍ユニットにおいてしか可能ではない。最後に、そのような装置は、冷気生成モ−ド又は熱生成モ−ドでしか機能することができないが、一方のモ−ドから他方のモ−ドへの変更は、特定の熱に敏感な製品の完全性を害し得る熱衝撃を生じるリスクを呈する。
【０００５】
その上、これらの装置は、通常、温度が制御されるエンクロ−ジャに一体化され、当該エンクロ−ジャと分離不可能な組立体を構成する。したがって、例えば特に、輸送される製品の性質及び上記輸送中に直面する天候条件によって必要とされる出力に、調節装置の出力を適合させることが可能であるように、複数のタイプの容器に配置することができる温度調節装置を有することが可能であることが有用である。
【発明の概要】
【発明が解決しようとする課題】
【０００６】
本発明の目的は、エンクロ−ジャに可能性としては取り外し可能に取り付けることができる、エンクロ−ジャの温度を維持する外部装置を提案することであり、エンクロ−ジャの内部温度は、所与の設定値に保たれなければならず、エンクロ−ジャはエネルギ−の観点から完全に自立しており、エンクロ−ジャは、エンクロ−ジャが晒される外部温度プロファイルに関係なく、その調節機能を果たすことが可能であり；上記装置は、モジュ−ル式でもあり、調節されるエンクロ−ジャに適合可能である。
【課題を解決するための手段】
【０００７】
したがって、本発明の目的は、少なくとも１つの貯蔵エンクロ−ジャに取り付け可能な、温度を特定の設定値に自動的に調節するモジュ−ル式装置である。当該装置は、発熱熱化学反応に従って、蒸発後に、反応器に収容される反応生成物と組み合わせることが可能な液化ガスを収容する、可能性としては蒸発器を形成するタンクを備える熱化学システムを収容するハウジングを備え、得られる反応生成物は、逆熱化学反応に従って、加熱によって、上記ガスを放出しながら再生成されることが可能であり、熱化学システムの反応器及び蒸発器は、上記エンクロ−ジャを加熱する手段及び冷却する手段をそれぞれ構成し、上記ハウジングに作られる反応器区画及び蒸発器区画にそれぞれ配置され、上記装置は、上記ハウジングに配置されるとともに：
−貯蔵エンクロ−ジャを加熱するために反応器区画を貯蔵エンクロ−ジャのみと連通させると同時に、蒸発器区画を装置の外部と連通させ、
−貯蔵エンクロ−ジャを冷却するために蒸発器区画を貯蔵エンクロ−ジャのみと連通させると同時に、反応器区画を装置の外部と連通させることが可能である、切り換え手段を備えることを特徴とする。
【０００８】
有利には、ハウジングは、エンクロ−ジャへの取り付け手段を含む。当該取り付け手段は、本発明に従って限定されない。ハウジングは、ハウジングに固定されるストラップであって、エンクロ−ジャの周りに巻き付けることができるストラップ、エンクロ−ジャの外面に配置される相補的な手段と協働するフック、又は、ハウジングをエンクロ−ジャに好ましくは取り外し可能に取着することを可能にする任意の他の取着手段を含むことができる。
【０００９】
本発明の１つの実施形態では、装置は、反応器区画及び蒸発器区画を貯蔵エンクロ−ジャと同時に連通させることが可能な手段を含むことができる。
【００１０】
本発明による装置は、反応器区画の入口及び出口並びに蒸発器区画の入口及び出口にそれぞれ接続可能である吸気ダクト及び出口ダクトを含むことができ、当該吸気ダクト及び当該出口ダクトは、上記貯蔵エンクロ−ジャの出口及び吸気口にそれぞれ接続可能である。
【００１１】
本発明によると、反応器区画及び／又は蒸発器区画は、当該区画を通る空気流の循環を活性化可能な手段を含む。
【００１２】
反応器区画は、吸気弁及び出口弁を含むことが可能であり、吸気弁及び出口弁のそれぞれは、反応器区画が外部と連通する開位置、及び、反応器区画が外部から隔離される閉位置を保持可能であり、蒸発器区画は、吸気弁及び出口弁を含むことが可能であり、吸気弁及び出口弁のそれぞれは、蒸発器区画が外部と連通する開位置、及び、蒸発器区画が外部から隔離される閉位置を保持可能である。
【００１３】
さらに、本発明による装置は、２つの逆転弁、すなわち、３つの位置、すなわち：
−蒸発器区画の吸気口及び出口を貯蔵エンクロ−ジャとそれぞれ連通させる第１の位置、
−反応器区画の吸気口及び出口を貯蔵エンクロ−ジャとそれぞれ連通させる第２の位置、
−弁が中間位置にあり、反応器区画並びに蒸発器区画の吸気口及び出口を貯蔵エンクロ−ジャとそれぞれ連通させる第３の位置
を保持可能である、吸気弁及び出口弁を含むことが可能である。
【００１４】
本発明による装置は、貯蔵エンクロ−ジャの上側部分又は下側部分に配置することができる。装置は、２つの貯蔵エンクロ−ジャ間に取り付けることもでき、上記エンクロ−ジャのうちの一方は、加熱されるために反応器に接続可能であり、他方は、冷却されるように蒸発器に接続可能である。
【００１５】
本発明による装置は、その反応器区画を第１のエンクロ−ジャと連通させることができると同時にその蒸発器区画を第２のエンクロ−ジャと連通させることができるように配置することができる。
【００１６】
有利には、上記反応器区画は、上記第１のエンクロ−ジャと連通されるように形成され、同時に、上記蒸発器区画は、第２のエンクロ−ジャと連通されるように形成される。有利には、装置は、上記ハウジングが取り付けられる少なくとも第１のエンクロ−ジャを備える。ハウジングは、上記第１の貯蔵エンクロ−ジャの上側部分に取り付けることができる。そのような配置は、エンクロ−ジャへの本発明による装置の取り付け及び取り外しを容易にし；装置は、エンクロ−ジャを移動させることなく取り付けるか又は取り外すことができる。
【００１７】
有利には、装置は第２の貯蔵エンクロ−ジャを含み、上記反応器区画は、上記第１のエンクロ−ジャと連通され、同時に、上記蒸発器区画は、上記第２のエンクロ−ジャと連通される。ここで、添付の図面を参照して、本発明の１つの実施形態を非限定的な例として説明する。
【図面の簡単な説明】
【００１８】
【図１】本発明による装置が備え付けられる容器を輸送作業中に晒すことができる温度プロファイルの一例を示すグラフである。
【図２】冷気生成モ−ドにおける、本発明による装置が備え付けられる容器の概略図である。
【図３】熱生成モ−ドにおける、図２に示されている容器及び本発明による装置の概略図である。
【図４】熱及び冷気を同時に生成するモ−ドにおける、図２及び図３に示されている容器及び本発明による装置の概略図である。
【図５ａ】本発明による装置を容器に取り付ける種々のモ−ドを示す概略図である。
【図５ｂ】本発明による装置を容器に取り付ける種々のモ−ドを示す概略図である。
【図５ｃ】本発明による装置を容器に取り付ける種々のモ−ドを示す概略図である。
【発明を実施するための形態】
【００１９】
本発明による装置は、例えばエンクロ−ジャが輸送中に晒され得る気象条件に関係なく、熱に敏感な製品を収容する上記エンクロ−ジャを所与の期間にわたって特定の定値温度Ｔｃに維持することを可能にするように設計されている。
【００２０】
図２〜図５に示されているのは、熱に敏感な製品３を収容することが意図されるとともに、その上側部分に、本発明による自動温度調節装置２を受け入れるエンクロ−ジャ１を形成する容器の例である。
【００２１】
上記装置は、既知のタイプの熱化学システムを収容するハウジング２２（図２〜図４に破線で示されている）を備え、熱化学システムは、塩及び種々のガスによって実現することができ、特に膨張天然黒鉛からなる膨張結合剤と混合されて圧縮される、この場合は塩化マンガンである試薬を収容する反応器９から本質的に構成され、黒鉛の見掛け密度は、好ましくは５０ｋｇ／ｍ3〜１５０ｋｇ／ｍ3であり、膨張天然黒鉛に対する塩化マンガンの質量の比率は好ましくは５０％〜９０％である。
【００２２】
「膨張天然黒鉛の見掛け密度」という用語は、圧縮される最終生成物の以下の式によって計算される密度を指す：（圧縮される生成物を得るために所与の質量の試薬と混合される天然黒鉛の質量）／上述した天然黒鉛質量と上述した所与の質量の試薬との混合物を圧縮することによって得られる要素の体積。
【００２３】
反応器９は、制御弁１１の制御下でタンク１３と連通し、タンク１３には、アンモニアからなる特定のガスが貯蔵され、上記タンクはこの場合は蒸発器として働く。
【００２４】
試薬及びガスは、試薬が、発熱熱化学反応によって、いわゆる動作段階中にガスを吸収可能であり、それによって反応生成物を生成し、次に、逆熱化学反応によって、反応生成物が加熱されるいわゆる再生成段階中に反応生成物を元に戻すようなものである。
【００２５】
したがって、反応器９及び蒸発器１３が連通されると、蒸発器に収容されている液体ガスが蒸発し、これによって特定の量の熱を吸収し、それによって冷気発生源となり、上記ガスは試薬によって吸収され、したがって発熱化学反応を発生させ、反応器はそれによって熱発生源となる。反応が完了し、反応器９に収容されている反応生成物が再び加熱されると、試薬によって吸収されたガスが放出され、次に蒸発器１３において凝縮される。
【００２６】
本発明によると、図面に示されているように、反応器９及び蒸発器１３は別個の区画１０及び１４にそれぞれ配置され、図示されておらず、したがって以下で説明するマイクロコントロ−ラの制御下で互いにインタ−ロックされる６個の分配弁のシステムの制御下で、区画１０及び１４のそれぞれの吸気口１０ａ及び１４ａは、エンクロ−ジャ１の出口５ａと連通する吸気ダクト５と連通されることができ、出口１０ｂ及び１４ｂは、同様にエンクロ−ジャ１の吸気口７ａと連通する出口ダクト７と連通されることができる。
【００２７】
添付の図面では、吸気ダクト５の一端は、上述した吸気口１０ａ及び１４ａに接続可能であり、吸気ダクト５の第２の端は、エンクロ−ジャ１に作られる出口５ａに接続される。同様に、出口ダクト７の一端は、上述した出口１０ｂ及び１４ｂに接続可能であり、一方で、出口ダクト７の他端は、エンクロ−ジャ１に作られる出口７ａに接続される。
【００２８】
反応器区画１０は、その吸気口１０ａからその出口１０ｂへの空気の循環を提供する通気手段１２を含み、当該空気を、出口ダクト７を介してエンクロ−ジャ１内に押しやる。同様に、蒸発器区画１４は、その吸気口１４ａからその出口１４ｂへの空気の循環を提供する通気手段１６を含み、当該空気を、出口ダクト７を介してエンクロ−ジャ１内に押しやる。
【００２９】
反応器区画９は吸気弁１７ａ及び出口弁１７ｂを含み、吸気弁１７ａ及び出口弁１７ｂはそれぞれ、反応器区画１０が外部と連通する開位置（図２）、及び、反応器区画１０が外部から隔離される閉位置（図３）を占めることが可能である。
【００３０】
同様に、蒸発器区画１４は吸気弁１９ａ及び出口弁１９ｂを含み、吸気弁１９ａ及び出口弁１９ｂはそれぞれ、蒸発器区画が外部と連通する開位置（図３）、及び、蒸発器区画が外部から隔離される閉位置（図２）を占めることが可能である。
【００３１】
システムは、２つの逆転弁、すなわち、３つの位置、すなわち：
−蒸発器１３の吸気口及び出口をエンクロ−ジャ１とそれぞれ連通させる、図２に示されている第１の位置、
−反応器９の吸気口及び出口をエンクロ−ジャ１とそれぞれ連通させる、図３に示されている第２の位置、
−弁が中間位置にあり、反応器９並びに蒸発器１３の吸気口及び出口をエンクロ−ジャ１とそれぞれ連通させる、図４に示されている第３の位置
を占めることが可能である、吸気弁２１ａ及び出口弁２１ｂも含む。
【００３２】
本発明の使用の例では、エンクロ−ジャ１に収容される製品３は、国際的に輸送される。上記エンクロ−ジャは、５℃の定値温度Ｔｃに維持しなければならず、上記輸送中に種々の温度変化に晒される。
【００３３】
したがって、本発明の例では、図１に示されているように、本発明による温度調節装置が備え付けられる容器は、最初に、温度が１５℃であるその倉庫から輸送され（期間１）、温度が急低下して１０時間にわたって約−２０℃のままである航空機の貨物室に積み込まれる（期間２）。到着時に、容器は、４０℃の温度で４時間にわたって屋外に配置され（期間３）、次に、格納庫の積荷ゾ−ンに移され、そこで、５時間にわたって２５℃の温度に留まる（期間４）。容器は次に、別の航空機の貨物室に積み込まれ、そこで、その温度が５時間にわたって−２０℃まで低下し（期間５）、次に、受け取られる場所まで、−３０℃の外気温で輸送される（期間６）。
【００３４】
これらの条件下では、期間１、３及び４の間、明らかに、エンクロ−ジャ１を冷却し、マイクロコントロ−ラが、切り換え弁を制御して図２に示されている位置にする必要があり、すなわち、上記エンクロ−ジャ１を冷却するために蒸発器をエンクロ−ジャと連通させるように、逆転弁２１ａ及び２１ｂが蒸発器１３を収容する区画１４の吸気口１４ａ及び出口１４ｂを開き、弁１９ａ及び１９ｂが開位置にあり、同時に、熱化学反応中に反応器９によって生成される熱を雰囲気中に排除するために、区画１０の吸気口１０ａ及び出口１０ｂを外部と連通させるように弁１７ａ及び１７ｂが開かれる。
【００３５】
逆に、期間２、５及び６の間は、エンクロ−ジャ１を再び加熱しなければならず、このために、弁は図３に示されている位置にされ、すなわち、上記エンクロ−ジャ１を再び加熱するために反応器９を収容する区画１０をエンクロ−ジャと連通させるように、逆転弁２１ａ及び２１ｂが反応器９を収容する区画１０の吸気口１０ａ及び出口１０ｂを開き、弁１７ａ及び１７ｂが外部に対して閉位置になり、同時に、弁１９ａ及び１９ｂは、上記蒸発器１３によって生成される冷気を雰囲気に排除するために蒸発器を外部と連通させるように開かれる。
【００３６】
本発明によると、外部温度がエンクロ−ジャ１の定値温度Ｔｃ付近で変動する場合にエンクロ−ジャ内の温度を微調整することが可能であるように、弁は、図４に示されているように、高温の空気及び低温の空気がエンクロ−ジャ１内に同時に送られる位置にされる。このために、逆転弁２１ａ及び２１ｂは中間位置にされ、吸気弁１７ａ及び１９ａ並びに出口弁１７ｂ及び１９ｂは、反応器及び蒸発器の双方の吸気口及び出口とエンクロ−ジャとの連通を確実にする。
【００３７】
当然ながら、弁以外を切り換える任意の他のモ−ドを本発明に従って使用することができる。
【００３８】
したがって、図２〜図５ａに示されているように、本発明による調節装置は、エンクロ−ジャ１の上側部分に取着することができる。しかし、図５ｂに示されているように、調節装置は、エンクロ−ジャ１の下側部分に取着することもできる。ハウジング２２はしたがって、エンクロ−ジャ１の上又は下に取り付けられる。
【００３９】
本発明の別の実施形態では、調節装置は２つのエンクロ−ジャ１及び１’間に配置することもでき、これは、高温の空気をエンクロ−ジャのうちの一方（エンクロ−ジャ１）に送ると同時に低温の空気を他方のエンクロ−ジャ（エンクロ−ジャ１’）に送ることが可能であるという利点を呈する。
【図１】
2017503136.tif 000003
【図２】
2017503136.tif 000004
【図３】
2017503136.tif 000005
【図４】
2017503136.tif 000006
【図５ａ】
2017503136.tif 000007
【図５ｂ】
2017503136.tif 000008
【図５ｃ】
2017503136.tif 000009
【国際調査報告】
2017503136.tif 000010
2017503136.tif 000011
2017503136.tif 000012
2017503136.tif 000013
2017503136.tif 000014
2017503136.tif 000015